(57)【要約】 【課題】歩行に必要な足の運動機能の回復に適する履物を提供する。【解決手段】足を載せる弾力性を備えた厚板構造の履物本体１０と、履物本体１０を足に付けるための支持具２０と、履物本体１０の底面の前後方向中央部に底面から所定量下方に突出して履物本体１０を前後に揺動可能に支持する脚部３０とを備え、履物本体１０の前後端部は足から加わる荷重によって下方に撓み変形し、脚部３０に対応する履物本体１０の中央部を通じて脚部３０からの反力が足裏中央部に作用する構成としたことを特徴とする。【選択図】  図１
2006158790.tif 000002
【特許請求の範囲】
【請求項１】
足の裏を載せる弾力性を備えた履物本体と、該履物本体を足に支持するための支持具と、履物本体底面の前後方向中央部に底面から所定量下方に突出して履物本体を前後に揺動可能に支持する脚部とを備え、
履物本体の前後端部は足から加わる荷重によって下方に撓み変形し、脚部に対応する履物本体の中央部を通じて脚部からの反力が足裏中央部に作用する構成としたことを特徴とする履物。
【請求項２】
脚部は履物本体の横幅全幅にわたって延びている請求項１に記載の履物。
【請求項３】
脚部は弾力性を備えた材料により構成されている請求項１または２に記載の履物。
【請求項４】
脚部は硬質材によって構成されている請求項１または２に記載の履物。
【請求項５】
脚部は断面矩形状で、下端面が接地して履物本体を水平に保持し、脚部の底面前角部を支点にして履物本体を前方に傾き、脚部の底面後角部を支点にして後方に傾く構造の請求項１乃至４のいずれかの項に記載の履物。
【請求項６】
脚部は断面円形状の部材である請求項１乃至４のいずれかの項に記載の履物。
【発明の詳細な説明】
【技術分野】
【０００１】
本発明は、前後にシーソー状に揺動する履物に関し、特に骨折の治療後等における歩行機能のリハビリに適した履物に関する。
【背景技術】
【０００２】
本発明は、出願人自身が足の骨折により半年以上にわたるリハビリを経験し、思うようにリハビリが進まない中で思いつき、自ら試作して使用する過程でリハビリが飛躍的に進んだ経験から出願するに至ったものである。
【０００３】
従来から、前後にシーソー状に揺動する履物としては、たとえば特許文献１，２に記載のようなものが知られている。
特許文献１に記載の履物は、履物の基台を中央部より前後両方向に順次厚さを薄くした弧状体とし、履いた際に底面形状に倣って前後にシーソー状に揺動するようになっている。
一方、特許文献２に記載の履物は、靴底を逆台形状あるいは逆三角形状とし、頂部を支点として前後にシーソー状に揺動する構成となっている。
【０００４】
しかし、特許文献１，２のような従来の履物は、アキレス腱やふくらはぎを伸ばしたり、足首の可動域を広げて柔軟性を高めたりするものとして提案されているが、歩行機能のリハビリに適するものではない。歩行運動は、腰，大腿，膝関節，ふくらはぎ，アキレス腱，足首等が連動した一連の運動であるが、土台となる足自体の踏ん張りが重要であり、足の踏ん張りが十分できない状態でこのようなシーソー状に揺動する履物を使用しても足自体の機能回復には寄与しない。
【特許文献１】登録実用新案第３０４８３６５号
【特許文献２】特開２００４−１６１３０８号
【発明の開示】
【発明が解決しようとする課題】
【０００５】
本発明は上記した従来技術の課題を解決するためになされたもので、その目的とするところは、歩行に必要な足の運動機能の回復に適する履物を提供することにある。
【課題を解決するための手段】
【０００６】
上記目的を達成するために、請求項１に係る発明は、足を載せる弾力性を備えた厚板構造の履物本体と、履物本体を足に付けるための支持具と、履物本体の底面の前後方向中央部に底面から所定量下方に突出して履物本体を前後に揺動可能に支持する脚部とを備え、
履物本体の前後端部は足から加わる荷重によって下方に撓み変形し、脚部に対応する履物本体の中央部を通じて脚部からの反力が足裏中央部に作用する構成としたことを特徴とする。
【０００７】
請求項２に係る発明は、脚部は履物本体の横幅全幅にわたって延びていることを特徴とする。
請求項３に係る発明は、脚部は弾力性を備えた材料により構成されている。
請求項４に係る発明は、脚部は硬質材によって構成されていることを特徴とする。
請求項５に係る発明は、脚部は断面矩形状で、下端面が接地して履物本体を水平に保持し、脚部の底面前角部を支点にして履物本体を前方に傾き、脚部の底面後角部を支点にして後方に傾く構造となっていることを特徴とする。
請求項６に係る発明は、脚部は断面円形状であることを特徴とする。
【発明の効果】
【０００８】
請求項１に係る発明によれば、履物本体に足を乗せると、履物本体の中央部を支持する脚部によって体重が支えられる。履物本体は弾力性を有しているので、自由状態の履物本体の前後端部は足からの荷重によって下方に撓み変形し、相対的に履物本体の中央部が前後端部より高くなり、脚部からの上向きの反力が履物本体の全体ではなく足裏中央部に集中して作用する。この脚部から作用する反力によって、自然と足指の関節が下方に屈曲し、足の甲側の緊張がとれて足の指先に自然に力が入りやすい形となる。
この状態で歩いたり足踏みをすると、足の裏で脚部を乗り越えるような運動となるが、足の指先が下方に屈曲した状態となっているので、足の指先に力が入って、履物本体を掴んで踏ん張ろうとする方向の動きを助ける。それに伴って脛，ふくらはぎ，足首，アキレス腱等にもしっかりと力が入って歩行に必要な筋肉が鍛えられ、歩行機能の快復につながる。
同時に足の関節が大きく動き、アキレス腱が伸ばされ、足の裏及び甲側の筋肉が揉みほぐされ、筋肉を鍛えながら足の柔軟性を高めることができる。
履物本体は弾力性を有する構造なので、脚部から足の裏に作用する力は履物本体によって緩和され、足の痛みの発生を防止することができる。
【０００９】
請求項２に係る発明によれば、脚部が履物本体の横幅全幅にわたって延びる構造となっているので、前後方向の揺動運動を安定して支持することができる。
請求項３に係る発明によれば、脚部を弾力性を備えた材料により構成したので、サンダル本体の弾力性と相まって、より一層、脚部から足の裏に作用する力を緩和することができる。
請求項４に記載の発明によれば、脚部を硬質材によって構成したので、当たりが強く、マッサージ効果を高めることができる。
請求項５に記載の発明によれば、脚部は断面矩形状とすれば、姿勢が安定する。
請求項６に記載の発明によれば、脚部を断面円形状とすれば、前後の揺動がスムースとなる。    
【発明を実施するための最良の形態】
【００１０】
以下に本発明を図示の実施の形態に基づいて説明する。
実施の形態１
図１は本発明の実施の形態１に係る履物としてのサンダルを示している。
このサンダル１は室内履き用で、足を載せる弾力性を備えたサンダル本体１０と、サンダル本体１０を足に付けるための支持具としての甲皮２０と、サンダル本体１０の底面の前後方向中央部に底面から所定量下方に突出してサンダル本体１０を前後に揺動可能に支持する脚部３０とを備え、サンダル本体１０の前後端部は足から加わる荷重によって下方に撓み変形可能で、脚部３０に対応するサンダル本体１０の中央部を通じて脚部３０からの反力が足裏中央部に作用する構成となっている。
【００１１】
サンダル本体１０は厚板形状で、足先を支える前部より踵部を支える後部の肉厚が厚い構造となっている。サンダル本体１０は３層構造で、足裏が接する薄い上面部１１と、床面に接する薄い下面部１２と、上面部１１と下面部１２間の厚肉の基材部１３とを備えている。基材部１３の材料には、たとえば、ＥＶＡスポンジ，ＰＶＣスポンジ，ウレタンスポンジ等の発泡樹脂等の各種スポンジ材が好適である。
上面部１１には各種材料が適用可能であり、足裏を刺激する多数の小突起１１ａを形成することが好ましい。下面部１２は滑り止め材等が用いられる。
【００１２】
サンダル本体１０の前後端部は足から加わる荷重によって下方に撓み変形するが、装着して脚部３０で体重を支えた際に前後端部が床面から所定高さ浮いた状態を保持する程度の曲げ剛性を備えている。
甲皮２０は、図示例は布等の柔軟な材料で成形されたもので、足の指先を出して足の甲全体を覆う構成となっている。もっとも、支持具の形状，構造としては、このような甲皮２０に限定されるものはなく、足からサンダル本体１０が脱落しないように支持できるものであればよい。
脚部３０は断面矩形状で、下端面が接地してサンダル本体１０を水平に保持し、脚部３０の底面前角部を支点にしてサンダル本体１０を前方に傾き、脚部３０の底面後角部を支点にして後方に傾く構造となっている。脚部３０の横幅はサンダル本体１０の横幅全幅にわたって延び、前後方向の長さは足裏の土踏まずに対応する長さに設定されている。揺動支点となる脚部３０の底面前角部および底面後角部には面取り３０ｃが施されている。
この実施の形態ではサンダル本体１０とは別部材の厚肉の四角板形状部材によって構成され、サンダル本体１０の底面に張り付けられている。脚部２０の材質は、サンダル本体１０と同じ弾力性を備えた発泡樹脂材料によって構成されている。
【００１３】
次に、上記構成のサンダルの機能について説明する。
サンダルを履くと、図１（Ｄ）に示すように、体重は脚部３０で支持され、サンダル本体１０の前後端部が下方に撓み、脚部３０からの上向きの反力Ｆがサンダル本体１０の中央部を通じて足裏中央部に集中的に作用し、自然と足指の関節が下方に屈曲し、足の甲側の緊張がとれて、足の指先に力が入りやすくなる。
【００１４】
この状態で歩いたり足踏みをすると、図２（Ａ），（Ｂ）に示すように、足の裏でサンダル本体１０を介して脚部２０を乗り越えるような運動となり、サンダル本体１０の中央部を乗り越える際に、体重が足の中央部に作用して足指は自由に動く状態なので、自然と、足の指先は下方に曲がり、サンダル本体１０を掴んで踏ん張ろうとする方向の動きを助け、足の指先に力が入る。それに伴って脛，ふくらはぎ，足首，アキレス腱等にもしっかりと力が入って歩行に必要な筋肉が鍛えられ、歩行機能の快復につながる。
同時に足の関節が大きく動き、アキレス腱が伸ばされ、足の裏及び甲側の筋肉が揉みほぐされ、筋肉を鍛えながら足の柔軟性を高めることができる。
特に、脚部２０がサンダル本体１０の横幅全幅にわたって延びる構造となっているので、前後方向の揺動運動を安定して支持することができる。
【００１５】
また、サンダル本体１０は弾力性を有する構造なので、脚部３０から足の裏に作用する力はサンダル本体１０によって緩和され、足の痛みの発生を防止することができる。さらに、脚部３０についてもサンダル本体１０と同じ弾力性を備えた材料により構成されているので、サンダル本体１０の弾力性と相まって、より一層、脚部から足の裏に作用する力を緩和することができる。さらに、前後に揺動する際に、断面矩形状の脚部３０自体が前後方向に斜めに弾性変形して揺動運動を助けるので、ある程度の角度までは脚部３０底面全体が接地した状態で揺動させることができ、揺動運動をより安定して支持することができる。
【００１６】
次に本発明の他の実施の形態について説明する。以下の説明では、主として実施の形態１と異なる点についてのみ説明するものとし、同一の構成部分については同一の符号を付して説明は省略するものとする。
実施の形態２
図３は本発明の実施の形態２に係るサンダルを示している。
この実施の形態２は、脚部の構造が異なるのみでサンダル本体の基本的な構造は実施の形態１と同一である。
すなわち、サンダル２０１は、足を載せる弾力性を備えたサンダル本体１０と、サンダル本体１０を足に付けるための支持具としての甲皮２０と、サンダル本体１０の底面の前後方向中央部に底面から所定量下方に突出してサンダル本体１０を前後に揺動可能に支持する脚部２３０とを備え、サンダル本体１０の前後端部は足から加わる荷重によって下方に撓み変形可能で、脚部２３０に対応するサンダル本体１０の中央部を通じて脚部３０からの反力が足裏中央部に作用する構成となっている。
【００１７】
脚部２３０は断面円形状の木材で構成され、サンダル本体１０の底面に接着固定されている。サンダル本体１０には脚部２３０の上面円弧部２３１が接着固定される凹部４０が設けられている。脚部２３０の表面には滑り止め材２３３が巻き付けられ、滑り止め材２３３の前後両端はサンダル本体１０の底面に接着固定されている。脚部２３０は中実の円柱形状となっているが、中空の円筒形状としてもよい。中空構造とすれば弾力性を高めることができる。また、木材に限定されるものではなく、硬質の樹脂材等、種々の材料を用いることができる。
サンダル本体１０に設けられた凹部４０は三角形状で、脚部２３０の上面円弧部２３１が２点で接触して位置決めされている。凹部４０の形状は上面円弧部２３１に倣った円弧形状としてもよいし、四角形等の形状に成形してもよい。
このように、脚部２３０を断面円形状とした場合でも、 体重が足の中央部に作用して足指は自由に動く状態なので、自然と、足の指先は下方に曲がり、揺動する際にサンダル本体１０を掴んで踏ん張ろうとする方向の動きを助け、足の指先に力が入る。それに伴って脛，ふくらはぎ，足首，アキレス腱等にもしっかりと力が入って歩行に必要な筋肉を鍛えることができる。
【００１８】
また、実施の形態１では前後に揺動する際に脚部３０の底面前後角部が抵抗となるが、実施の形態２では脚部２３０の下面円弧部２３２に倣って揺動するので、前後の揺動動作がスムースで、高さの変化も小さい。
また、脚部２３０の上面円弧部２３１の形状に倣って足裏中央部が押されるので、脚部２３０が木製であることと相まって、足裏に対する当たりが強く、マッサージ効果を高めることができる。
【００１９】
その他の実施の形態
上記実施の形態では、脚部が断面四角形状の場合（実施の形態１）には脚部を弾力性を有する構造とし、脚部が断面円形状の場合（実施の形態２）には脚部を硬質材としたが、断面四角形状の場合に硬質材を用いてもよいし、断面円形状の場合に弾力性を有する構造としてもよい。
また、脚部の形状としては、図４（Ａ）乃至図４（Ｄ）に示すように、種々の形状を選択することができる。
図４（Ａ）は、脚部３３０の上面部を円弧状、下面部を平面状としたもので、このようにすれば、実施の形態１と同様に安定性が高く、しかも実施の形態２のように当たりを強くすることができる。
図４（Ｂ）は、脚部４３０の下面部を円弧状、上面部を平面形状としたもので、このようにすれば、実施の形態２に比べて足裏に対する当たりを柔らかくすることができる。
図４（Ｃ）は、脚部５３０の底面前端部を角形状とし、後端部を円弧形状としたもので、前傾する際には角部の抵抗が負荷され、後に傾ける場合にはスムーズに傾けることができる。
図４（Ｄ）は、脚部６３０の底面前端部を円弧状とし、後端部を角形状としたもので、前傾する際にはスムーズに移動し、後に傾ける際には角部の抵抗を負荷することができる。
さらに、サンダル本体の長さについては、図４（Ｅ）に示すように、サンダル本体８１０の後端を足の踵部Ｈより短くし、踵Ｈがサンダル本体８１０の後端より後方にはみ出る構成としてもよい。
このようにサンダル本体８１０の後端を短くすれば、脚部３０の高さをそれほど高くしなくても後方への傾斜角度を大きくすることができ、アキレス腱を伸ばす効果を高めることができる。
以上、上記各実施の形態では、別部材のサンダル本体と脚部とを接着する構成となっているが、機械的に凹凸嵌合させて結合するようにしてもよいし、サンダル本体と脚部とを同一部材で一体成形してもよい。また、本発明を内履き用のサンダルに適用した場合について説明したが、スリッパや外履き用の運動靴等、種々の履物に適用することが可能であり、履物本体および脚部の形状、構造について、本発明の趣旨を逸脱しない範囲で種々の形状、構造を選択することができる。
【図面の簡単な説明】
【００２０】
【図１】図１は本発明の実施の形態１に係るサンダルを示すもので、同図（Ａ）は概略斜視図、同図（Ｂ）は正面図、同図（Ｃ）は底面図、同図（Ｄ）は履いた状態の正面図である。
【図２】図２（Ａ），（Ｂ）はサンダルを履いて揺動する状態を示す概略図である。
【図３】図３は本発明の実施の形態２に係るサンダルを示すもので、同図（Ａ）は概略斜視図、同図（Ｂ）は正面図、同図（Ｃ）は底面図、同図（Ｄ）は履いた状態の正面図である。
【図４】図４（Ａ）乃至（Ｅ）は本発明の他の実施の形態に係るサンダルを示す概略図である。
【符号の説明】
【００２１】
１０，７１０  サンダル本体
２０  支持具
３０，２３０，３３０，４３０，５３０，６３０  脚部
Ｆ  脚部からの反力
【図１】
2006158790.tif 000003
【図２】
2006158790.tif 000004
【図３】
2006158790.tif 000005
【図４】
2006158790.tif 000006